(57)【要約】【課題】画像データの付随情報により画像の検索を容易に行うことを可能とする。【解決手段】元となる画像を選択することにより、選択された画像の付随情報から同じ付随情報を有する画像を検索し、また、一覧表示において検索結果を容易に判別できるよう表示する様構成した。【選択図】　　　　図１
2004134872.tif 000002
【特許請求の範囲】
【請求項１】
少なくとも一つ以上の付随情報を有するデータを格納する格納手段と、
前記格納手段に格納されたデータを表示する表示手段と、
前記表示手段に表示されたデータから所望するデータを指示する指示手段とを有する機器において、
前記指示手段によって指示されたデータの付随情報により、前記格納手段に格納されているデータの付随情報を検索し、付随情報が一致するデータを前記表示手段において、表示形態を異ならせて表示することを特徴とするデータ検索および表示方式。
【請求項２】
前記データは、画像データであることを特徴とする請求項１に記載のデータ検索および表示方式。
【請求項３】
前記指示手段は、手書きタブレットであることを特徴とする請求項１に記載のデータ検索および表示方式。
【請求項４】
付随情報が一致するデータを前記表示手段において、データの背景の表示形態を異ならせて表示することを特徴とする請求項１に記載のデータ検索および表示方式。
【請求項５】
前記指示手段によって指示されたデータの付随情報が複数項目存在する場合に、一致した付随情報の項目により、表示形態をそれぞれ異ならせて表示することを特徴とする請求項１に記載のデータ検索および表示方式。
【請求項６】
前記指示手段によって指示されたデータの付随情報が複数項目存在する場合に、一致した付随情報の項目数により、データ表示の背景を分割して背景の表示形態を異ならせて表示することを特徴とする請求項１に記載のデータ検索および表示方式。
【請求項７】
前記指示手段によって指示されたデータの付随情報が複数項目存在する場合に、操作者により検索する項目を選択する選択手段を有することを特徴とする請求項１に記載のデータ検索および表示方式。
【請求項８】
前記指示手段によって指示されたデータの付随情報の項目数により、データ表示サイズを変更して表示することを特徴とする請求項１に記載のデータ検索および表示方式。
【請求項９】
前記指示手段によって指示されたデータの付随情報により、前記格納手段に格納されているデータの付随情報を検索し、付随情報が一致するデータのみを前記表示手段において、表示形態を異ならせて表示することを特徴とする請求項１に記載のデータ検索および表示方式。
【発明の詳細な説明】
【０００１】
【発明の属する技術分野】
本発明は、画像データを検索して表示する検索方式に関するものである。
【０００２】
【従来の技術】
従来、画像などのデータ検索を行う場合には検索条件を入力し、その結果により該当する画像を一覧表示する様構成されていた。
【０００３】
【発明が解決しようとする課題】
しかしながら、上記従来例では、所望する条件を変更したい場合に、操作者がその都度入力し直す必要が有った。また、デジタルカメラ等で撮影した画像データなどに関しては、類似条件を有する画像を検索したい場合に、元となる画像の付随情報を一度表示させて確認してから検索するなど複数回の操作が必要であった。
【０００４】
【課題を解決するための手段】
上記目的を達成するため、本出願に係わる第一の発明は、少なくとも一つ以上の付随情報を有するデータを格納する格納手段と、前記格納手段に格納されたデータを表示する表示手段と、前記表示手段に表示されたデータから所望するデータを指示する指示手段とを有する機器において、前記指示手段によって指示されたデータの付随情報により、前記格納手段に格納されているデータの付随情報を検索し、付随情報が一致するデータを前記表示手段において、表示形態を異ならせて表示する様に構成した。
【０００５】
【発明の実施の形態】
（第１実施形態）
図１は、本発明の電子機器の第１の実施形態の概略構成を示すブロック図である。図１において、１０１はＣＰＵであり、本電子機器の動作はこのＣＰＵ１０１により制御される。ＣＰＵ１０１には、制御プログラムを記憶しているＲＯＭ１０２、ＲＡＭ１０３、ユーザーデータを格納するための格納手段１０４、カメラモジュール１０５、タブレットの制御、検出を行うタブレットコントロール部１０９、ＬＣＤコントロール部１０６、ＲＴＣ（リアルタイムクロック）１１５、シャッターＳＷ１１３、その他の操作に使われるキーＳＷ群１１４がそれぞれ接続されている。そして、ＬＣＤコントロール部１０６には表示駆動部１０７、さらに表示部（ＴＦＴカラー液晶）１０８が接続されている。また、タブレットコントロール部１０９には、表示部１０８上に設置された手書きタブレット１１０が接続され、手書きタブレットへの入力の検出を行う。
【０００６】
ＣＰＵ１０１はＲＯＭ１０２内の制御プログラムに基づいて各種制御を行う。これらの制御の中には、カメラモジュール１０５から出力された撮影画像信号を読み込み、ＲＡＭ１０３へＤＭＡ転送を行う処理、同様にＲＡＭ１０３よりＬＣＤコントロール部１０６へデータをＤＭＡ転送する処理、また、画像データをＪＰＥＧ圧縮しファイル形式でデータ格納手段１０４へ格納する処理、さらに、手書きタブレット１１０から入力された情報に従った各種アプリケーションの実行、および、シャッターＳＷ１１３の操作に伴う撮影動作の指示等の処理が含まれる。
【０００７】
ＲＡＭ１０３は画像展開エリア１０３ａ、アプリケーションなどのワークエリア１０３ｂ、ＶＲＡＭ１０３ｃ、一時退避エリア１０３ｄなどを備えている。画像展開エリア１０３ａには、カメラモジュール１０５より送られてきた撮影画像（ＹＵＶデジタル信号）やデータ格納手段１０４から読み出されたＪＰＥＧ圧縮画像データを一時的に格納するためのテンポラリバッファとして、また、画像圧縮処理、解凍処理のための画像専用ワークエリアとして使用される。ワークエリア１０３ｂは、各種プログラムのためのワークエリアである。ＶＲＡＭ１０３ｃは表示部１１３へ表示する表示データを格納するＶＲＡＭとして使用される。また、一時退避エリア１０３ｄは各種データを一時退避させるためのエリアである。
【０００８】
データ格納手段１０４は、ＣＰＵ１０１によりＪＰＥＧ圧縮されたされた撮影画像データ、あるいはアプリケーションより参照される撮影画像一枚毎に対応した各種付随情報など（本実施形態では、画像撮影時刻、撮影場所など）をファイル形式で格納しておくためのメモリであり、本実施形態ではフラッシュメモリで構成される。
【０００９】
カメラモジュール１０５は、レンズ郡、ＣＣＤ、タイミングジェネレータ、Ａ／Ｄ変換回路、画像処理用ＤＳＰなどから構成され、ＣＰＵ１０１からの信号により、画像データの転送やＡＥ、ホワイトバランスの調整などの動作を行う。
【００１０】
タブレットコントロール部１０９は、ＣＰＵ１０１からの制御信号により手書きタブレット１１０の駆動制御とペンタッチにより入力された各種情報をデジタル信号へ変換してＣＰＵ１０１へ転送するための制御を行う。
【００１１】
ＬＣＤコントロール部１０６は、カメラモジュールから転送されたＹＵＶデジタル画像データをＲＧＢデジタル信号へ変換したあと表示駆動部１０７へ出力する処理や、ＶＲＡＭ１０３ｃに格納されたＲＧＢデータを表示駆動部１０７へ出力する処理を行う。表示駆動部１０７は表示部１０８を駆動するための制御を行う。表示部１０８は画像を表示するための表示器であり、ＴＦＴカラー液晶表示装置である。
【００１２】
シャッターＳＷ１１３は、撮影動作の開始を指示するためのシャッターである。このシャッターＳＷ１１３はスイッチの押下圧によって２段階のスイッチポジションが有り、１段目のポジションの検出で、ホワイトバランス、ＡＥ等のカメラ設定のロック動作が行われ、２段目のポジションの検出で、キャプチャー信号によりカメラ画像の取り込み動作が行われる。
【００１３】
図２は、本実施形態の電子機器２０１の外観図であり、表示部（ＬＣＤ）１０８の上面に手書きタブレット１１０が設置され、操作者は、ペン２０２などを用いて、表示部１０３に表示されるＧＵＩ（グラフィックユーザーインタフェース）への指示を手書きタブレットを通してＣＰＵ１０１に伝える。また、カメラーモジュール１０５は、図中の２０３の位置に配置され、シャッターＳＷ１１３も同側面に配置されている。
【００１４】
以下、図３のアルバム表示モードの動作の流れを示すフローチャート、図４、図５のアルバム表示モードの表示例を用いて、本実施形態の動作について説明する。
【００１５】
本実施形態において、アルバム表示モードが選択されるとステップＳ３０１に処理が移り、ステップＳ３０２において、データ格納手段１０４に格納されている画像データのサムネイルを図４の４０１の領域に一覧表示する。図４は、アルバム表示モードの表示例であり本実施形態では、一画面にサムネイル画像（画像−１〜１６）を１６枚表示し、各サムネイル画像には、それぞれ背景（画像−１のサムネイル場合は、４０２の斜線領域）が表示される。また、４０２の表示領域には操作アイコンを表示し、操作者の指示により指示されたアイコンに対応した処理を行う。
【００１６】
次にステップＳ３０３では、操作者の手書きタブレットへの入力の検出を行い、入力が検出されるまで処理を繰り返し、入力が検出されるとステップＳ３０４へ移行し、操作者によって指示された領域がサムネイル画像領域かを判断し、サムネイル画像領域である場合には、ステップＳ３０５へ移行して、検索表示モードであるか判断し、検索表示モードでない場合には、ステップＳ３１１において、指示された画像を選択画像にセットし、指示されたサムネイル画像の枠を太くして表示（図４の表示例では、画像−６の様に表示する）して処理をステップＳ３０３の入力検出に戻す。ステップＳ３０５において、検索表示モードである場合には、ステップＳ３０６へ移行する。
【００１７】
ここで、図５は検索表示モードの表示例であり、選択された画像「画像−６」の付随情報（本実施形態では、撮影日、撮影場所）と一致する付随情報を持つサムネイル画像の背景の模様を変えて表示している。表示領域５０１には、選択された画像「画像−６」の付随情報の表示とその左側の領域にその条件に一致するサムネイル画像の背景表示となる模様を表示している。本実施形態では、撮影日のみが一致（５０１ｂ）、撮影場所のみが一致（５０１ｃ）、撮影日、場所の両方が一致するもの（５０１ａ）の３通りで背景の模様を異ならせて表示する。
【００１８】
ステップＳ３０６では、図５の表示領域５０１に選択された画像の検索対象となる付随情報の項目表示とその左側の領域にその条件に一致するサムネイル画像の背景表示となる模様を表示する。次に、ステップＳ３０７では、指示されたサムネイル画像を選択画像としてセットし、選択画像の付随情報（本実施形態では、撮影日、撮影場所）と表示されているサムネイル画像の「画像−１」から付随情報の比較を行い、ステップＳ３０８で、付随情報が一つでも一致したと判断された場合には、ステップＳ３０９に移行して、ステップＳ３０７での比較結果によりサムネイル画像の背景表示を撮影日のみが一致（図５の画像−１０、１１、１２）、撮影場所が一致（図５の画像−１５、１６）、撮影日、場所の両方が一致する場合（図５の画像−６〜９）の３通りに場合分けをして模様を異ならせて表示し、ステップＳ３１０へ移行する。ステップＳ３０８で付随情報が一致しない場合には、ステップＳ３１０において、表示されているサムネイル画像すべてについて比較が行われたか判断し、すべてのサムネイル画像に対して比較が終了していない場合には、ステップＳ３０７〜Ｓ３１０の処理を繰り返し、すべてのサムネイル画像に対して比較が終了すると処理をステップＳ３０３へ戻す。
【００１９】
また、ステップＳ３０４において、操作者によって指示された領域がサムネイル画像領域かを判断し、サムネイル画像領域でない場合には、ステップＳ３１２へ移行し、指示された領域が検索表示モード設定領域（図４の４０３ｂ領域）である場合には、ステップＳ３１３で「検索表示モード」にセットし、操作アイコンの表示の変更等の処理を行い、ステップＳ３１４において、現在選択されているサムネイル画像が存在するか判断し、選択されているサムネイル画像が存在しない場合には、処理をステップＳ３０２に戻し、選択されているサムネイル画像が有る場合には、ステップＳ３０６へ処理を移し、前述した処理により表示を行う。また、ステップＳ３１２において、操作者によって指示された領域が検索表示モード設定領域でない場合には、ステップＳ３１５において、その他の処理を必要とする領域か判断し、その他の処理を必要とする領域ない場合には、処理をステップＳ３０２に戻し、その他の処理を必要とする領域である場合には、ステップＳ３１６において、指示された処理（例えば、画面のページ切り替え、選択画面の全画面表示、検索表示モード解除などの処理）を実行しステップＳ３０２に処理を戻す。
【００２０】
以上説明した動作により、本実施形態では、画像を選択するだけで、選択された画像と同じ付随情報を有する画像が簡単に判別することが可能であり、検索条件の入力などの操作が不要なため大変使い勝手が良い検索機能を提供することができる。
【００２１】
また、本実施形態では、選択された画像と同じ付随情報を有する画像の背景の模様を異ならせて表示したが、背景の色及び、画像の輝度を異ならせて表示してもよい。
【００２２】
更に、本実施形態では、付随情報を有するデータを画像データとしたが、付随情報を有するデータならばどのようなデータでもよい。
【００２３】
（第２実施形態）
第１実施形態では、画像を選択するだけで、選択された画像と同じ付随情報を有する画像の背景の表示形態を変えて表示したが、第２実施形態では、選択画像が有する付随情報が複数存在する場合に操作者が検索条件を選択できる様構成した。
【００２４】
第２実施形態では、図１のブロック図及び図２の概観図は同じ構成であり、図６のアルバム表示モードの動作の流れを示すフローチャートを用いて、図４、図７、のアルバム表示モードの表示例を用いて、本実施形態の動作について説明する。
【００２５】
本実施形態において、アルバム表示モードが選択されるとステップＳ６０１に処理が移り、ステップＳ６０２において、データ格納手段１０４に格納されている画像データのサムネイルを図４の４０１の領域に一覧表示する。図４は、アルバム表示モードの表示例であり第１実施形態と同様な表示を行う。
【００２６】
次にステップＳ６０３では、操作者の手書きタブレットへの入力の検出を行い、入力が検出されるまで処理を繰り返し、入力が検出されるとステップＳ６０４へ移行し、操作者によって指示された領域がサムネイル画像領域かを判断し、サムネイル画像領域である場合には、ステップＳ６０５へ移行して、検索表示モードであるか判断し、検索表示モードでない場合には、ステップＳ６１３において、第１実施形態と同様に指示された画像を選択画像にセットし、指示されたサムネイル画像の枠を太くして表示（図４の表示例では、画像−６の様に表示する）して処理をステップＳ６０３の入力検出に戻す。
【００２７】
ステップＳ６０５において、検索表示モードである場合には、ステップＳ６０６へ移行する。ここで、図７は第２実施形態における検索表示モードの表示例であり、選択された画像「画像−６」の付随情報（本実施形態では、撮影日、撮影場所）と一致する付随情報を持つサムネイル画像の背景の模様を変えて表示している。表示領域７０１には、選択された画像「画像−６」の付随情報の表示とその左側の領域にその条件に一致するサムネイル画像の背景表示となる模様を表示している。本実施形態では、撮影日が一致（７０１ａ）、または、撮影場所が一致（７０１ｂ）しているかで背景の模様を異ならせて表示する。また、第１実施形態と比べ本実施形態では、検索条件となる付随情報のうち複数の情報と一致する場合には、背景領域を分割して背景模様を表示する。
【００２８】
ステップＳ６０６では、図７の表示領域７０１に選択された画像の付随情報の表示とその左側の領域にその条件に一致するサムネイル画像の背景表示となる模様を表示し、検索項目を設定する。次に、ステップＳ６０７では、指示されたサムネイル画像を選択画像としてセットし、選択画像の付随情報（本実施形態では、撮影日、撮影場所）と表示されているサムネイル画像の「画像−１」から付随情報の比較を行い、ステップＳ６０８で、付随情報が一つでも一致したと判断された場合には、ステップＳ６０９に移行して、ステップＳ６０７での比較結果によりサムネイル画像の背景表示を撮影日のみが一致する場合は、７０１ａに示される模様の背景を表示し（図７の画像−１０、１１、１２）、撮影場所のみが一致する場合には、７０１ｂに示される模様の背景を表示し（図７の画像−１５、１６）、撮影日、場所の両方が一致する場合には、背景領域を分割して（図７の画像−６〜９）７０１ａ、ｂに示される模様の背景を表示して、ステップＳ６１０へ移行する。ステップＳ６０８で付随情報が一致しない場合には、ステップＳ６１０において、表示されているサムネイル画像すべてについて比較が行われたか判断し、すべてのサムネイル画像に対して比較が終了していない場合には、ステップＳ６０７〜Ｓ６１０の処理を繰り返し、すべてのサムネイル画像に対して比較が終了すると処理をステップＳ６０３へ戻す。
【００２９】
また、ステップＳ６０４において、操作者によって指示された領域がサムネイル画像領域かを判断し、サムネイル画像領域でない場合には、ステップＳ６１２へ移行し、指示された領域が検索表示モード設定領域（図４の４０３ｂ領域）である場合には、ステップＳ６１３で「検索表示モード」にセットし、操作アイコンの表示の変更等の処理を行い、ステップＳ６１４において、現在選択されているサムネイル画像が存在するか判断し、選択されているサムネイル画像が存在しない場合には、処理をステップＳ６０２に戻し、選択されているサムネイル画像が有る場合には、ステップＳ６０６へ処理を移し、前述した処理により検索表示を行う。また、ステップＳ６１２において、操作者によって指示された領域が検索表示モード設定領域でない場合には、ステップＳ６１５へ移行し検索項目表示領域７０１か判断し、検索項目表示領域７０１である場合には、ステップＳ６１６へ移行して指示された領域が、７０１ａ、７０１ｂである場合には、指示された項目（撮影日時、撮影場所）の検索条件のオンオフの処理が行われる。ステップＳ６１７で、検索項目を再設定行い、更に、取り消された条件の表示形態を異ならせる。本実施形態では、撮影場所領域（７０１ｂ）が指示されたので、撮影場所を検索項目から除き図８の８０１ｂの表示の様に表示を形態を変える。本実施形態では、７０１ａ、７０１ｂなどの検索項目領域を指示することにより、指示された検索項目のオンオフを行う。次にステップＳ６１７から処理をステップＳ６０７へ移行し、ステップＳ６０７からの処理でステップＳ６１７で変更された検索項目で付随情報の再比較を行い検索表示を行う。ここで、図７の表示例は、撮影日時、撮影場所の２つ条件での表示例であり、現在検索項目のうち撮影場所の条件が取り消されたので、撮影日時のみが検索条件となり図８に示す表示例の表示となる。また、ステップＳ６１６で指示された領域が７０１ａ、７０１ｂでない場合には、処理をステップＳ６０２に戻す。次にステップＳ６１５において検索項目表示領域７０１でない場合には、ステップＳ６１８において、その他の処理を必要とする領域か判断し、その他の処理を必要とする領域でない場合には処理をステップＳ６０２に戻し、その他の処理を必要とする領域である場合には、ステップＳ６１９において、指示された処理（例えば、画面のページ切り替え、選択画面の全画面表示、検索表示モード解除などの処理）を実行しステップＳ６０２に処理を戻す。
【００３０】
以上説明した動作により、本実施形態では、操作者によって複数ある検索項目から簡単に所望する項目を選択することができる。
【００３１】
また、本実施形態の検索表示においては、選択されている複数の項目に対してサムネイル背景画像領域を分割して、背景表示を異ならせるので検索項目が２項目以上に増えた場合にも更に背景領域を分割することで簡単に対応することが可能である。
【００３２】
（第３実施形態）
第３実施形態では、第１実施形態に対して付随情報の検索項目が１つしか存在しない場合に、背景表示領域を無くしてサムネイル画像を拡大して表示する様構成した。
【００３３】
第３実施形態では、第１実施形態の図１のブロック図及び図２の概観図及び、図３のアルバム表示モードの動作の流れを示すフローチャート，図４、図５、のアルバム表示モードの表示例に加え図９の表示例を加えて説明する。
【００３４】
本実施形態では、第１実施形態の処理の、図３のアルバム表示モードの動作の流れを示すフローチャートにおいて、ステップＳ３０６〜Ｓ３１０の処理において次の処理を追加する。ステップＳ３０６の検索項目表示において、検索項目が一つであった場合には、図９に示す様に背景表示領域を無くし、サムネイル画像枠のみを表示し、以後ステップＳ３０６〜Ｓ３１０の処理において、付随情報が一致する画像のサムネイル枠の表示形態を変えて（点線表示）表示を行う。その他の処理は、第１実施形態と同じ動作を行うものとする。図９の表示例は、選択画像が「画像−６」で、撮影日付情報が一致する画像が「画像−７、８、９、１５」であった場合の表示例である。
【００３５】
以上説明した第３実施形態では、検索項目が一つであった場合にサムネイル画像を最大限大きく表示することが可能とであり、表示サイズが小さい機器などでは有効である。
【００３６】
（第４実施形態）
第１実施形態では、一覧表示されている画像の中で、画像を選択することにより、画像と同じ付随情報を有する画像の背景の表示形態を変えて表示したが、第４実施形態では、選択画像が有する付随情報と一致する画像のみを表示する様に構成した。
【００３７】
第４実施形態では、図１のブロック図及び図２の概観図は同じ構成であり、図１０のアルバム表示モードの動作の流れを示すフローチャートを用いて、図４、図１１、のアルバム表示モードの表示例を用いて、本実施形態の動作について説明する。
【００３８】
以下、図１０のアルバム表示モードの動作の流れを示すフローチャートについて説明する。図１０のフローチャートにおいて、ステップＳ１００１〜Ｓ１００５、Ｓ１０１３〜Ｓ１０１７の処理は、図３のステップＳ３０１〜Ｓ３０５、Ｓ３１２〜Ｓ３１６の処理と同様な処理を行う。
【００３９】
第４実施形態では、選択画像に対して表示されているサムネイル画像の付随情報だけでなく格納手段１０４に格納されている画像データに対しても比較を行い、付随情報が一致した画像のみサムネイル表示領域に表示を行う。
【００４０】
本実施形態においては、ステップＳ１００６で選択画像を「画像−１」の領域に表示し、ステップＳ１００７で図１１の表示領域１００１に選択された画像の検索対象となる付随情報の項目表示とその左側の領域にその条件に一致するサムネイル画像の背景表示となる模様を表示する。次にステップＳ１００８の処理において、格納手段１０４に格納されている画像データの付随情報と比較を行い、ステップＳ１００９で、付随情報が一つでも一致したと判断された場合には、ステップＳ１００９に移行して、ステップＳ１００８での比較結果によりサムネイル画像の背景表示を撮影日のみが一致（図１１の画像−１０、１１、１２）、撮影場所が一致（図１１の画像−１５、１６）、撮影日、場所の両方が一致する場合（図１１の画像−６〜９）の３通りに場合分けをして模様を異ならせて表示し、また、付随条件が一致しない画像については、サムネイル表示を行わない。この処理の後ステップＳ１０１１へ移行する。また、ステップＳ１００９で付随情報が一致しない場合には、ステップＳ１０１１へ移行し、サムネイル画像表示領域にすべて画像が表示されているか、または格納手段１０４に格納されている比較対象となる画像すべてについて比較がなされたか判断して、条件が満たされていない場合には、ステップＳ１００８〜Ｓ１０１１の処理を繰り返し、条件が満たされると処理をステップＳ１００３へ戻す。
【００４１】
以上説明した動作により、本実施形態では、付随情報が一致しない画像のサムネイル画像を表示しないので、検索項目に一致する画像の多くを表示することが可能である。
【００４２】
【発明の効果】
以上説明したように、本発明によれば、元となる画像を選択するだけで、選択された画像の付随情報から同じ付随情報を有する画像を簡単に検索でき、また、一覧表示において容易に判別できるよう表示されるので、使い勝手が良い検索機能を提供することが可能である。
【図面の簡単な説明】
【図１】本発明の機器の実施の第１形態の構成を示すブロック図である。
【図２】第１実施形態の機器の外観構成を示す図である。
【図３】第１実施形態の機器におけるアルバム表示モード処理の手順を示すフローチャートである。
【図４】第１実施形態の機器におけるアルバム表示モードの表示例である。
【図５】第１実施形態の機器におけるアルバム表示モードの検索結果の表示例である。
【図６】第２実施形態の機器におけるアルバム表示モード処理の手順を示すフローチャートである。
【図７】第２実施形態の機器におけるアルバム表示モードの検索結果の表示例である。
【図８】第２実施形態の機器におけるアルバム表示モードの検索項目変更後の検索結果の表示例である。
【図９】第３実施形態の機器におけるアルバム表示モードの検索項目が一つの場合の検索結果の表示例である。
【図１０】第４実施形態の機器におけるアルバム表示モード処理の手順を示すフローチャートである。
【図１１】第４実施形態の機器におけるアルバム表示モードの検索結果の表示例である。
【符号の説明】
１０１　ＣＰＵ
１０２　ＲＯＭ
１０３　ＲＡＭ
１０４　データ格納手段
１０８　表示部
１１０　手書きタブレット
２０２　入力ペン
５０１　付随情報の項目表示領域
【図１】
2004134872.tif 000003
【図２】
2004134872.tif 000004
【図３】
2004134872.tif 000005
【図４】
2004134872.tif 000006
【図５】
2004134872.tif 000007
【図６】
2004134872.tif 000008
【図７】
2004134872.tif 000009
【図８】
2004134872.tif 000010
【図９】
2004134872.tif 000011
【図１０】
2004134872.tif 000012
【図１１】
2004134872.tif 000013